(57)【特許請求の範囲】
【請求項１】
上下で対向する取付軸の軸中心が互いに略平行で、同一軸の両側に各々が相互の幅間隔を調整自在に取付けられた上刃と下刃とを有し、壁紙の送り方向の両側において上刃と下刃が食い違い状に圧接されている壁紙用スリッタにおいて、下刃の回転軸には壁紙のたわみ防止用の移動および／または着脱自在な壁紙ガイドとしてのガイドローラが配置されていることを特徴とする壁紙用スリッタ。
【請求項２】
下刃の回転軸には、壁紙ガイドとして複数のガイドローラが配置されている請求項１の壁紙用スリッタ。
【請求項３】
下刃の回転軸には、壁紙ガイドとして、中空部を有するローラと、その内径よりも小さな外径のローラとの組み合わせからなるガイドローラが配置されている請求項１または２の壁紙用スリッタ。
【請求項４】
下刃の回転軸には、壁紙ガイドとして蛇腹構造を有する伸縮自在なガイドローラが配置されている請求項１または２の壁紙用スリッタ。
【請求項５】
下刃の回転軸には、壁紙ガイドとしてコイルバネ構造を有する伸縮自在なガイドローラが配置されている請求項１または２の壁紙用スリッタ。
【請求項６】
下刃の回転軸には、壁紙ガイドとして、分割して取り外しできるガイドローラが配置されている請求項１または２の壁紙用スリッタ。
【請求項７】
請求項１から６のいずれかの壁紙用スリッターにおいて、壁紙がその上面で送り出される、取付け位置自在に差し込み固定する壁紙ガイドステーが配置されている壁紙用スリッタ。
【請求項８】
請求項１から６のいずれかの壁紙用スリッターにおいて、壁紙がその上面で送り出される、取付位置が長穴部において移動自在にネジ止め固定する壁紙ガイドステーが配置されている壁紙用スリッタ。
【発明の詳細な説明】
【０００１】
【産業上の利用分野】
この発明は、壁紙用スリッタに関するものである。さらに詳しくは、この発明は、壁や天井に貼る際の幅合わせのための壁紙用スリッタに関するものである。
【０００２】
【従来の技術とその課題】
従来より、壁紙の糊付けと、その貼りつけ作業においては、壁紙を所要の幅に調整するための幅合わせが必要となるため、壁紙の両側を切り落としてこの幅合わせするためのスリッタが使用されてきている。
この壁紙用スリッタについては、これまでにも様々な方式のものが開発され、実用化されてきているが、その代表的なものとしては、図８に示した構成のものが知られている。
【０００３】
すなわち、軸中心が互いに略平行な上刃（１）と下刃（２）とを有し、壁紙の送り方向の両側においてこの上刃（１）と下刃（２）とが食い違い状に圧接されており、下刃（２）の回転軸（３）にはガイドローラ（４）が設けられ、ブラケット（５）によって、回転軸（３）が下刃固定用ステー（７）に支持されている。また、下刃（２）の近傍には押さえローラ（６）が配置され、かつ、上刃（１）は支持軸（１２）（１３）に装着されている。さらにこのスリッタには、上刃固定用ステー（８）、カッターシール（９）および目盛板（１０）が配置されている。下刃（２）の回転軸（３）は、駆動連結用歯車（１１）によって回転駆動される。
【０００４】
この従来の壁紙スリッタでは、押さえローラ（６）と下刃（２）との間に介在させたスプリングにより上刃（１）と下刃（２）とを圧接し、上刃（１）と下刃（２）の位置の変更によりスリット幅を可変としている。
しかしながら、以上の通りの構成を有する従来の壁紙スリッタの場合には、通常は壁紙クロスの耳切り程度の切断を行うことから刃物の移動はそれほど必要がないため、上刃（１）の支持軸（１２）（１３）は別々なものとしている。このため、壁紙の幅合わせの寸法が大きな場合には一度で切断できないという問題があった。
【０００５】
それと言うのも、壁紙は垂直方向に貼るのが一般的だが、水平方向に貼る場合もあり、このような場合には、天井までの高さによって、３００から４００ｍｍ程度の幅に切断する必要が生じ、糊付する前か糊付後に手作業で切断しなければならず、大変に面倒なものとなっていたからである。
そして、仮に、上刃（１）の支持軸（１２）（１３）を長くしたとしても、従来のスリッタでは、壁紙のたわみを防ぐためのガイドローラ（４）が固定されているため、下刃を大きく移動させるのも難しいのが実情であった。
【０００６】
そこでこの発明では、以上の通りの事情を鑑みてなされたものであり、従来の壁紙スリッタの欠点を解消し、大きな幅でも一度に切断することができ、しかも壁紙のたわみを効果的に抑えることが可能な、新しい壁紙スリッタを提供することを目的としている。
【０００７】
【課題を解決するための手段】
この発明は、上記の課題を解決するものとして、上下で対向する取付軸の軸中心が互いに略平行で、同一軸の両側に各々が相互の幅間隔を調整自在に取付けられた上刃と下刃とを有し、壁紙の送り方向の両側において上刃と下刃が食い違い状に圧接されている壁紙用スリッタにおいて、下刃の回転軸には壁紙のたわみ防止用の移動および／または着脱自在な壁紙ガイドとしてのガイドローラが配置されていることを特徴とする壁紙スリッタを提供する。
【０００８】
【作用】
この発明の壁紙スリッタにおいては、上記の通り、上刃も下刃も各々が同一軸の両側に取り付けられているため、その位置調整が容易であって、たとえば３００ｍｍから４００ｍｍ程度の大きな幅であってもこれを一度に切断することができるようになり、手作業で切断するという面倒な作業は全く必要としない。  しかもまた、移動や取り外し自在な壁紙ガイドが配置されているため、大きな幅に切断する場合でも、この壁紙ガイドを適宜に配置できるため、壁紙が糊付機に引っ張られて送り込まれる場合にも、壁紙にテンションを与えることができ、壁紙のたわみによるしわの発生を抑えることができる。
【０００９】
【実施例】
以下、図面に沿って実施例を示し、より具体的にこの発明の壁紙スリッタについて説明する。
添付した図面の図１は、この発明の壁紙スリッタを例示した斜視図である。
たとえば、図１に例示したように、この発明の壁紙スリッタ（２０）では、軸中心が互いに略平行な上刃（２１）と下刃（２２）とが壁紙の送り方向の両側部において圧接されており、上刃（２１）は、上刃軸（２５）に、下刃（２２）は、下刃軸（２３）に取付けている。また、下刃軸（２３）には、左右に移動自在とされた壁紙ガイドローラ（２４）が複数配置されている。
【００１０】
この移動自在な壁紙ガイドローラ（２４）を用いることにより、切断する幅が３００ｍｍから４００ｍｍ程度であっても、この壁紙ガイドローラ（２４）を移動させることで、壁紙を保持することができる。もちろん、上刃（２１）および下刃（２２）の移動調節も容易である。
この壁紙ガイドローラ（２４）は欠かせないものであって、これがないと壁紙はたわみ、壁紙は蛇行して切断されることになる。
【００１１】
図２（ａ）（ｂ）は、ローラの組み合わせによって伸縮自在な壁紙ガイドローラを構成した例を示した断面図と斜視図である。径の小さなローラ（３１）を中央に配置し、その径よりも大きな内径の中空部を有するローラ（３２）をその両側に配置している。この中空部を有する左右のローラ（３２）を左右に移動させ、さらには径の小さなローラ（３１）をも移動自在とすることで、ローラ全体の幅を伸縮させることが容易となる。
【００１２】
図３は、蛇腹構造を有する伸縮自在なガイドローラの構造を例示した断面図である。伸縮する機構として蛇腹（３３）を利用したものである。
図４は、コイルバネ構造を有する伸縮自在なガイドローラの構造を示した断面図である。伸縮する機構としてコイルバネ（３４）を利用したものである。
図５（ａ）（ｂ）は、分割して取り外しできる壁紙ガイドローラの構造を示した斜視図と断面図である。図５（ａ）のように分割部（３５）（３６）を４ケ所でネジ（３７）で止めることや、図５（ｂ）のように、回動ヒンジ部（３８）を設け、２ケ所をネジ（３７）で止めること等が可能となる。この分割部（３５）（３６）を、下刃軸（２３）の所要の位置に取付けることで、壁紙のたるみを防止、移動の両側部での切断が可能となる。
【００１３】
図６（ａ）（ｂ）は、移動取り外し自在な差し込み式壁紙ガイドステー（４０）を例示した断面図と斜視図である。この例の壁紙ガイドステー（４０）は、両側の下刃（２２）の間に適宜一つ以上配置される。この場合、たとえば支持バー（４１）に差し込み溝部（４２）を嵌合させるか、あるいは逆の関係として、差し込み自在とすることができる。差し込み位置を変えることによって、壁紙ガイドステー（４０）を移動させることができる。壁紙（６０）は、このガイドステー（４０）の上面に沿って送り出されることになる。
【００１４】
図７（ａ）（ｂ）は、別の構造の壁紙ガイドステー（５０）を例示した断面図とその部分斜視図である。この例では、支持部（５１）に対して、長穴（５２）を介してボルト（５３）によって結合する。
上記のステー（５０）においても、この長穴（５２）を利用して取付け、移動を自在としている。
【００１５】
【発明の効果】
この発明の壁紙スリッタにより、以上詳しく説明した通り、大きな寸法幅の変化があっても一度で切断することができ、壁紙のたわみも効果的に抑えることができる。
【図面の簡単な説明】
【図１】この発明の壁紙スリッタの一例を例示した斜視図である。
【図２】（ａ）（ｂ）は、中空部を有するローラの組合わせからなるガイドローラを例示した断面図と斜視図である。
【図３】蛇腹構造を有する伸縮自在なガイドローラの構造を示した断面図である。
【図４】コイルバネ構造を有する伸縮自在なガイドローラの構造を示した断面図である。
【図５】（ａ）（ｂ）は、分割して取り外しできる壁紙ガイドローラの構造を示した斜視図と、断面図である。
【図６】（ａ）（ｂ）は、移動取り外し自在な差し込み式壁紙ガイドステーを示した断面図と斜視図である。
【図７】（ａ）（ｂ）は、移動取り外し自在な長穴ネジ止め式壁紙ガイドステーを示した断面図と斜視図である。
【図８】従来の壁紙スリッタを示した斜視図である。
【符号の説明】
２０  壁紙スリッタ
２１  上刃
２２  下刃
２３  下刃軸
２４  壁紙ガイドローラ
２５  上刃軸
３１  ローラ
３２  中空部ローラ
３３  蛇腹
３４  コイルバネ
３５，３６  分割部
３７  ネジ
３８  回動ヒンジ部
４０  壁紙ガイドステー
４１  支持バー
４２  差し込み溝部
５０  壁紙ガイドステー
５１  支持部
５２  長穴
５３  ボルト
６０  壁紙
１  上刃
２  下刃
３  回転軸
４  ガイドローラ
５  ブラケット
６  ローラ
７  下刃固定用ローラ
８  上刃固定用ステー
９  カッターシール
１０  目盛板
１１  駆動連結用歯車
１２，１３  支持軸
【図１】
0003618374.tif 000002
【図２】
0003618374.tif 000003
【図３】
0003618374.tif 000004
【図４】
0003618374.tif 000005
【図５】
0003618374.tif 000006
【図６】
0003618374.tif 000007
【図７】
0003618374.tif 000008
【図８】
0003618374.tif 000009